(57)【要約】【課題】ユーザの移動態様に応じてその利便性を向上させることが可能な表示装置を提供する。【解決手段】ユーザの位置を示す位置情報を取得する位置情報取得部１６と、ユーザと共に移動する同行者の有無に関する同行者有無情報を取得する同行者有無情報取得部１８と、取得した同行者有無情報に基づいて、同行者の有無を判定するシステム制御部１５と、同行者がいると判定されるとき、ユーザと同行者とが移動を共にしていることを表現するための同一シンボルマークを取得するシンボルマーク取得部１９と、取得された同一シンボルマークを位置情報に基づいて表示部１２に表示すると共に、ユーザの移動に伴って更新される位置情報に基づき、同一シンボルマークの表示部１２上における表示位置を移動させる表示制御部２０と、を備える。【選択図】図１
2010276384.tif 000002
【特許請求の範囲】
【請求項１】
ユーザの位置を示す位置情報を取得する位置情報取得手段と、
前記ユーザと共に移動する同行者の有無に関する同行者有無情報を取得する同行者有無情報取得手段と、
前記取得された同行者有無情報に基づいて、前記同行者の有無を判定する判定手段と、
前記判定手段により前記同行者がいると判定されるとき、前記ユーザと当該同行者とが移動を共にしていることを表現するための同一シンボルマークを取得する同一シンボルマーク取得手段と、
前記取得された同一シンボルマークを前記取得された位置情報に基づいて表示手段に表示すると共に、前記ユーザの移動に伴って更新される前記位置情報に基づき、前記同一シンボルマークの前記表示手段上における表示位置を移動させる表示制御手段と、
を備えたことを特徴とする表示装置。
【請求項２】
請求項１に記載の表示装置において、
前記同一シンボルマーク取得手段は、複数のマーク素材を用いて生成された前記同一シンボルマークを取得し、
更に前記表示制御手段は、前記ユーザの移動に伴って更新される前記位置情報に基づいて前記同一シンボルマークにおける各前記マーク素材を一体不可分として前記表示手段上における表示位置を移動させることを特徴とする表示装置。
【請求項３】
請求項１又は２に記載の表示装置において、
前記同行者有無情報には前記同行者の人数に関する人数情報が更に含まれており、
更に前記同一シンボルマーク取得手段は、前記人数情報に対応した前記同一シンボルマークを取得することを特徴とする表示装置。
【請求項４】
請求項２又は３に記載の表示装置において、
前記同一シンボルマーク取得手段は、互いに大きさのことなる複数のマーク素材を重ね合わせて生成された前記同一シンボルマークを取得することを特徴とする表示装置。
【請求項５】
請求項２又は３に記載の表示装置において、
前記同一シンボルマーク取得手段は、複数のマーク素材を相互に隣接して生成された前記同一シンボルマークを取得することを特徴とする表示装置。
【請求項６】
請求項１から５のいずれか一項に記載の表示装置において、
前記ユーザを案内すべき案内経路と、当該案内経路を含む地図と、を前記表示手段に表示する地図表示制御手段を更に備えることを特徴とする表示装置。
【請求項７】
請求項１から６のいずれか一項に記載の表示装置において、
前記同一シンボルマークが動物のキャラクタにより構成されており、
前記表示制御手段は、前記位置情報の更新状態に応じて前記同一シンボルマークの表示形態を変化させることを特徴とする表示装置。
【請求項８】
請求項６に記載の表示装置と、当該表示装置と通信手段を介して接続されるサーバ装置と、を備える表示システムであって、
当該表示装置が携帯型の表示装置であり、
更に当該表示装置の前記表示制御手段は、前記案内経路を示す経路情報を、前記サーバ装置から前記通信手段を介して取得することを特徴とする表示システム。
【請求項９】
コンピュータを、前記表示手段を備えた請求項１から７のいずれか一項に記載の表示装置として機能させることを特徴とする表示装置用プログラム。
【請求項１０】
ユーザの位置を示す位置情報を取得する位置情報取得工程と、
前記ユーザと共に移動する同行者の有無に関する同行者有無情報を取得する同行者有無情報取得工程と、
前記取得された同行者有無情報に基づいて、前記同行者の有無を判定する判定工程と、
前記判定工程において前記同行者がいると判定されるとき、前記ユーザと当該同行者とが移動を共にしていることを表現するための同一シンボルマークを取得する同一シンボルマーク取得工程と、
前記取得された同一シンボルマークを前記取得された位置情報に基づいて表示手段に表示すると共に、前記ユーザの移動に伴って更新される前記位置情報に基づき、前記同一シンボルマークの前記表示手段上における表示位置を移動させる表示制御工程と、
を含むことを特徴とする表示方法。
【発明の詳細な説明】
【技術分野】
【０００１】
本願は、表示装置及び表示方法、表示システム及び表示装置用プログラムの技術分野に属する。
【背景技術】
【０００２】
従来から、携帯型無線電話機（以下、単に携帯電話機と称する）等の携帯端末装置にＧＰＳ（Global Positioning System）受信機を搭載し、当該携帯端末装置のユーザの現在位置を含む周辺の地図を画面に表示させて目的地までの誘導を行うナビゲーションシステムが知られている。
【０００３】
このようなナビゲーションシステムにおける現在位置表示の一例としては、ユーザの現在位置に対応する地点に、例えば三角形のシンボルマークを表示し、そのシンボルマークの先鋭な頂点がユーザの進行方向に向けて表示されるものがある。
【０００４】
一方、こうしたナビゲーションシステムでは、長期間の使用に際しても飽きが来ないようにすべく、上述した本来のナビゲーション機能の他に、そのユーザが興味を持つような種々の工夫がなされている。このような工夫の一例としては、例えば下記特許文献１又は２に例示されるものがある。
【０００５】
このとき、当該特許文献１に記載の技術では、例えば走る動物を模した複数種類のシンボルマークを予め用意し、ユーザが当該シンボルマークの中から好みのシンボルマークを選択することで、当該選択されたシンボルマークを車両の移動態様等に応じて変化しつつ表示することが開示されている。また特許文献２に記載の技術では、車両の前後の傾斜角度に応じて当該車両の現在位置を示すシンボルマークを視覚的に前傾又は後傾させることが開示されている。
【先行技術文献】
【特許文献】
【０００６】
【特許文献１】特開２００１−１９４１６６公報
【特許文献２】特開２００３−９０７２９公報
【発明の概要】
【発明が解決しようとする課題】
【０００７】
しかしながら、上記特許文献１及び２に記載された技術では、複数種類のシンボルマークをユーザが選択可能とされてはいるものの、結局のところ自車の位置のみを示すシンボルマークとそれが案内されるべき案内経路とがその進行具合に応じて位置及び角度を変えて表示されることが示されているに過ぎない。
【０００８】
よって、例えば、そのような表示を適用した携帯型電話機を携帯するユーザが、他の人と移動を共にするような場合でも当該ユーザの携帯電話機では当該ユーザの移動のみしか表現することができず、利便性に欠けると言う問題点があった。
【０００９】
そこで本願は、このような問題点の解消を一つの課題とし、その目的の一例は、ユーザの移動態様に応じてその利便性を向上させることが可能な表示装置及び表示方法、表示システム並びに当該表示装置用のプログラムを提供することにある。
【課題を解決するための手段】
【００１０】
上記課題を解決するために、請求項１に記載の発明は、ユーザの位置を示す位置情報を取得する位置情報取得部等の位置情報取得手段と、前記ユーザと共に移動する同行者の有無に関する同行者有無情報を取得する同行者有無情報取得部等の同行者有無情報取得手段と、前記取得された同行者有無情報に基づいて、前記同行者の有無を判定するシステム制御部等の判定手段と、前記判定手段により前記同行者がいると判定されるとき、前記ユーザと当該同行者とが移動を共にしていることを表現するための同一シンボルマークを取得するシンボルマーク取得部等の同一シンボルマーク取得手段と、前記取得された前記同一シンボルマークを前記位置情報取得手段により取得された位置情報に基づいて表示手段に表示すると共に、前記ユーザの移動に伴って更新される前記位置情報に基づき、前記同一シンボルマークの前記表示手段上における表示位置を移動させる表示制御部等の表示制御手段と、を備える。
【００１１】
上記の課題を解決するために、請求項８に記載の発明は、請求項６に記載の表示装置と、当該表示装置と通信手段を介して接続されるサーバ装置と、を備える表示システムであって、当該表示装置が携帯型の表示装置であり、更に当該表示装置の前記表示制御手段は、前記案内経路を示す経路情報を、前記サーバ装置から前記通信手段を介して取得するように構成される。
【００１２】
上記の課題を解決するために、請求項９に記載の発明は、コンピュータを、前記表示手段を備えた請求項１から７のいずれか一項に記載の表示装置として機能させる。
【００１３】
上記の課題を解決するために、請求項１０に記載の発明は、ユーザの位置を示す位置情報を取得する位置情報取得工程と、前記ユーザと共に移動する同行者の有無に関する同行者有無情報を取得する同行者有無情報取得工程と、前記取得された同行者有無情報に基づいて、前記同行者の有無を判定する判定工程と、前記判定工程において前記同行者がいると判定されるとき、前記ユーザと当該同行者とが移動を共にしていることを表現するための同一シンボルマークを取得する同一シンボルマーク取得工程と、前記取得された同一シンボルマークを前記取得された位置情報に基づいて表示部等の表示手段に表示すると共に、前記ユーザの移動に伴って更新される前記位置情報に基づき、前記同一シンボルマークの前記表示手段上における表示位置を移動させる表示制御工程と、を含む。
【図面の簡単な説明】
【００１４】
【図１】実施形態に係る表示装置の概要構成を示すブロック図である。
【図２】実施形態に係る表示装置の動作を示すフローチャートである。
【図３】実施形態に係る同一シンボルマークの表示例を示す図である。
【図４】同一シンボルマークの表示例を示す図であり、（ａ）は第一例を示す図であり、（ｂ）は第二例を示す図であり、（ｃ）は第三例を示す図であり、（ｄ）は第四例を示す図であり、（ｅ）は第五例を示す図である。
【図５】第１実施例に係る案内経路表示システムの概要構成を示すブロック図である。
【図６】第１実施例に係る案内経路表示システムの動作を示すフローチャートであり、（ａ）は第１実施例に係る表示モードの設定動作を示すフローチャートであり、（ｂ）は第１実施例に係る案内経路の表示動作を示すフローチャートである。
【図７】第１実施例に係る操作画面を例示する図であり、（ａ）は第一段階の操作画面を例示する図であり、（ｂ）は第二段階の操作画面を例示する図であり、（ｃ）は第三段階の操作画面を例示する図である。
【図８】画面上に表示される第１実施例に係る案内経路の一例を示す図であり、（ａ）は地図による案内経路の表示例を示す図であり、（ｂ）はテキストによる案内経路の表示例を示す図である。
【図９】第２実施例に係る表示モードの設定動作を示すフローチャートである。
【図１０】第３実施例に係る表示モードの設定動作を示すフローチャートである。
【発明を実施するための形態】
【００１５】
以下、本願の実施形態について図１乃至図４を用いて説明する。なお、図１は実施形態に係る表示装置の概要構成を示すブロック図であり、図２は当該表示装置の動作を示すフローチャートである。また図３は当該動作において表示部に表示される実施形態に係る同一シンボルマークの表示例を示す図であり、図４は当該同一シンボルマークの表示例を示す図である。
【００１６】
実施形態に係る表示装置Ｓは、ユーザによって携帯可能な表示装置Ｓであって、図１に示すように、例えば液晶ディスプレイ等により構成され、例えば地図を表示する表示画面を有する表示手段の一例としての表示部１２と、判定手段の一例及び表示制御手段の一例としてのシステム制御部１５と、を含んで構成される。
【００１７】
また当該表示装置Ｓは、ハードディスクドライブ等の不揮発性の記録媒体を備える記憶装置１１と、データの授受が可能に接続されている。この記憶装置１１の上記記録媒体は、図１に示すように、例えば表示装置Ｓを携帯するユーザと移動を共にする人（以下、同行者と称する）がいる場合、当該移動を共にすることを表す実施形態に係る同一シンボルマークとなる複数のマーク素材としてのシンボルマークデータＭ２を記憶する。
【００１８】
一方、システム制御部１５は、ＣＰＵ（Central Processing Unit）が、ＲＯＭ（Read Only Memory）などに記憶されたプログラムを読み出し実行することにより、位置情報取得手段の一例としての位置情報取得部１６、同行者有無情報取得手段の一例としての同行者有無情報取得部１８、同一シンボルマーク取得手段の一例としてのシンボルマーク取得部１９及び表示制御手段の一例としての表示制御部２０として機能する。
【００１９】
位置情報取得部１６は、例えばＧＰＳ（Global Positioning System）等を用いて表示装置Ｓの現在位置情報を取得する。なお、ユーザが位置情報を入力することで位置情報取得部１６として現在位置情報を取得しても構わない。
【００２０】
同行者有無情報取得部１８は、同行者の有無に関する同行者有無情報を取得する。より具体的に同行者有無情報取得部１８は、例えば、ユーザが入力した同行者の人数を取得する。
【００２１】
例えば、本願に係る表示装置Ｓを携帯するユーザの一例としての父親を含む家族五人が移動を共にする場合、この父親には同行者が四人いることになる。そこで当該父親が自己が携帯する表示装置Ｓに対し自分を除いた人数「４」を入力することで、当該表示装置Ｓにおける同行者有無情報取得部１８は、当該ユーザたる父親と同行する同行者の人数「４」を取得する。
【００２２】
なお、実施形態での「移動を共にする」とは、ユーザが移動する予定の案内経路や、ショッピングセンタ又は娯楽施設等のエリア内を、ユーザがその同行者と一緒に移動することをいい、例えば上記の例で言う家族の一部の人が一時的に離れ離れになったとしても、その離れ離れになった後に合流して移動を再開する行為も、当該「移動を共にする」ことに含まれる。
【００２３】
そして、システム制御部１５は、同行者有無情報取得部１８によって取得された同行者の有無に関する同行者有無情報、例えば上記した人数に基づいて同行者の有無を判定する。因みに、同行者有無情報取得部１８によって上記した人数「４」が取得された場合には、「同行者有り」と判定する。
【００２４】
次にシンボルマーク取得部１９は、ユーザに同行者がいる場合において当該ユーザと同行者とが移動を共にしていることを表現する同一シンボルマークに相当するシンボルマークデータを、後述する方法により記憶装置１１から取得する。
【００２５】
なお、実施形態に係るシンボルマーク又は同一シンボルマークとしては、例えば動物（より具体的には、例えば亀）のキャラクタが用いられる。換言すれば、当該動物のキャラクタを用いた複数のシンボルマークデータＭ２が記憶装置１１に記憶されており、シンボルマーク又は同一シンボルマークとして当該シンボルマークＭ２が表示装置Ｓに取得されて用いられる。当該シンボルマークデータＭ２は、動物の種類毎に大きさの異なる複数のデータが存在している。そしてシンボルマーク取得部１９は、ユーザとその同行者の人数を合わせた数に応じて、例えば、大きさの異なるシンボルマークデータＭ２を重ね合わせたり、連ならせたりして生成された実施形態に係る同一シンボルマークに相当するシンボルマークデータを取得する。当該取得されたシンボルマークデータを構成するシンボルマークデータＭ２の夫々は、上記同一種類の動物のキャラクタを用いたシンボルマークデータＭ２とされている。また、ユーザと同行者とを容易に識別可能とすべく、大きさの異なるシンボルマークデータＭ２を用いて生成された同一シンボルマークに相当するシンボルマークデータを取得する。更に、同行者がなくユーザが一人で移動する場合には、ユーザが一人で移動することを表現するシンボルマークとして、例えば、一番大きい一つのシンボルマークデータＭ２を取得する。
【００２６】
なお、本実施形態及び後述する実施例において、当該「シンボルマークデータＭ２」を用いて取得されたものが表示部１２において視覚化されたときに、それが「シンボルマーク」又は「同一シンボルマーク」となる。
【００２７】
更に、実施形態での同一シンボルマークを「取得する」とは、上述したように元々データとしては異なる複数のシンボルマークデータＭ２を重ね合わせたり或いは連ならせたりすることで、一つの「同一シンボルマーク」に相当するシンボルマークデータとして「生成」されたものをシンボルマーク取得部１９が取得する場合に加えて、上記シンボルマークデータＭ２を重ね合わせたり連ならせたりした形態をそれ自体で有する「同一シンボルマーク」に相当するシンボルマークデータＭ２を一つのデータとして、同行者の人数や表示態様のバリエーションに応じた数だけ例えば記憶装置１１等に「予め」記憶しておき、これを同行者の有無やその人数に応じてシンボルマーク取得部１９が「読み出す」ことを含む。なお以下の説明では、上述した同一シンボルマークに相当するシンボルマークデータとして複数のシンボルマークデータＭ２を用いて生成されたものをシンボルマーク取得部１９が取得する場合についての実施形態を説明する。
【００２８】
一方、表示制御部２０は、同行者有無情報取得部１８が取得した同行者有無情報に基づいて、シンボルマーク又は同一シンボルマークのいずれを表示するかを決定する。更に同一シンボルマークを表示すると決定した場合には、その人数に応じた同一シンボルマークに相当するシンボルマークデータとして生成されたものをシンボルマーク取得部１９に取得させる。そして、当該シンボルマーク又は当該同一シンボルマークのいずれか一方を、位置情報取得部１６によって取得された現在位置情報に基づいて表示部１２に表示させる。更に、位置情報取得部１６によって取得される現在位置情報によりユーザの移動、即ち当該ユーザが携帯する表示装置Ｓの移動が確認された場合、換言すれば、位置情報取得部１６によって取得される現在位置情報が更新された場合、その移動に応じて当該シンボルマーク又は同一シンボルマークの表示部１２の表示画面上における表示位置を移動させる。
【００２９】
なお表示制御部２０は、上述した如くユーザが入力した同行者の人数により当該同行者の有無を判定した場合には、当該入力された人数が「０」と更新されるまで同一シンボルマークを表示させる。即ち、例えば当該同行者の人数が「４」から「０」と変更された場合、表示制御部２０は、同一シンボルマークの表示からシンボルマークの表示に変更させる。
【００３０】
次に、実施形態に係る表示装置Ｓの動作について、図１乃至図４を用いて説明する。
【００３１】
図２に示すように、実施形態に係る表示装置Ｓの動作としては、先ずユーザの操作に基づき、徒歩による移動を案内する実施形態に係る案内経路表示用アプリケーション（以下、単に徒歩ナビアプリと称する）をシステム制御部１５が起動させる（ステップＳ１０１）。
【００３２】
次にシステム制御部１５は、ユーザにより携帯されている表示装置Ｓの現在位置を示す現在位置情報を取得済みであるか否かを判断し（ステップＳ１０２）、位置情報取得部１６にて当該現在位置情報を取得済みである場合は（ステップＳ１０２；ＹＥＳ）後述するステップＳ１０４の動作に移行する。これに対して現在位置情報が未取得である場合（ステップＳ１０２；ＮＯ）、システム制御部１５は位置情報取得部１６に当該現在位置情報を取得させ（ステップＳ１０３）上記ステップＳ１０２の動作に移行する。
【００３３】
次に、システム制御部１５は、実施形態に係るシンボルマーク又は同一シンボルマークを表示部１２の表示画面上に表示するために必要な情報（具体的には、例えば同行者の人数を示す人数情報やユーザの現在位置を示す現在位置情報等）が全て入力済みであるか否かを確認する（ステップＳ１０４）。そして当該必要な情報が全て入力済みである場合は（ステップＳ１０４；ＹＥＳ）、後述するステップＳ１０６の動作に移行し、一方、未入力の情報がある場合には（ステップＳ１０４；ＮＯ）、当該未入力の情報が入力される（ステップＳ１０５）まで待機する。
【００３４】
次に、システム制御部１５の同行者有無情報取得部１８は、上記ステップＳ１０４及びＳ１０５において取得された人数情報に基づき、ユーザに同行する同行者の有無を判定し（ステップＳ１０６）、同行者がいれば（ステップＳ１０６；ＹＥＳ）後述するステップＳ１０７の動作に移行し、一方同行者がいなければ（ステップＳ１０６；ＮＯ）後述するステップＳ１０８の動作に移行する。
【００３５】
次に上記ステップＳ１０７の動作としてシステム制御部１５の表示制御部２０は、当該ステップＳ１０７の動作としては同行者がいることになるため（ステップＳ１０６；ＹＥＳ参照）、この場合では上記した「移動を共にする」ことを表す同一シンボルマークを表示部１２の表示画面上に表示させる。このとき上記したように、システム制御部１５は、その同行者の人数に応じた同一シンボルマークに相当するシンボルマークデータをシンボルマーク取得部１９に取得させる。即ちシステム制御部１５は、同行者がいると判断した場合は、同一シンボルマークを表示すべきマークとして決定し、同行者の人数に合わせた数の大きさの異なるシンボルマークデータＭ２を用いて生成された同一シンボルマークをシンボルマーク取得部１９に取得させる。
【００３６】
より具体的に例えば、シンボルマーク取得部１９は、同行者が例えば一人である場合には、二つの大きさの異なるシンボルマークデータＭ２を用いてそれらを互いに重ね合わせて生成されたシンボルマークデータを、当該同行者が一人であることを表現するための同一シンボルマークに相当するシンボルマークデータとして取得する。また、同行者が例えば二人である場合には、三つの大きさの異なるシンボルマークデータＭ２を用いてそれらを互いに連ならせて生成されたシンボルマークデータを、当該同行者が二人であることを表現するための同一シンボルマークに相当するシンボルマークデータとして取得する。なお、同行者が例えば三人以上である場合には、例えば、三つの大きさの異なるシンボルマークデータＭ２を用いてそれらを互いに連ならせると共に、それ以上の数の同行者が存在している旨を示す記号（例えば、「．．．．．」）を付加して生成されたシンボルマークデータを、当該同行者が三人以上であることを表現するための同一シンボルマークに相当するシンボルマークデータとして取得する。更に、上記いずれかの方法により取得された同一シンボルマークに相当するシンボルマークデータは、システム制御部１５による表示制御（即ち、当該同一シンボルマークを表示部１２の表示画面上に表示させること及び後述するように当該表示させた同一シンボルマークをユーザの移動に伴って移動させることを含む表示制御）においては、一つのデータとして扱われ、同一シンボルマークに相当するシンボルマークデータを構成する各シンボルマークＭ２は一体不可分に当該同一シンボルマークに相当するシンボルマークデータを構成するものとして扱われる。即ち、例えばユーザを示すシンボルマークデータＭ２と同行者を示すシンボルマークデータＭ２により構成されるシンボルマークデータは、それに相当する同一シンボルマークが一旦表示部１２の表示画面上に表示された以降は、たとえ当該ユーザとその同行者とがある程度離れたり近付いたりしたとしても、それらに依存して各シンボルマークデータＭ２間の表示上の距離が変化したりすることなく（換言すれば、同行者の移動や位置の変化に依存することなく）、当該同一シンボルマークとしての表示態様は不変とされる。
【００３７】
そして、表示制御部２０は、このように生成されて取得されたシンボルマークデータによって示される同一シンボルマークを表示部１２の表示画面上に表示させる。このとき表示制御部２０は、位置情報取得部１６により取得されている（ステップＳ１０２及びＳ１０３参照）現在位置情報により示される現在位置に相当する表示画面上の位置に、当該同一シンボルマークを表示する。
【００３８】
なお上述した方法により同一シンボルマークに相当するシンボルマークデータを新たに生成する場合に加えて、上述したように、上記同一シンボルマークとしての形態を元々有するシンボルマークデータＭ２を一つのデータとして、同行者の人数や表示態様のバリエーションに応じた数だけ例えば記憶装置１１等に「予め」記憶しておき、これを同行者の有無やその人数の判断結果に応じてシンボルマーク取得部１９により「読み出して」表示に供させるように構成することもできる。
【００３９】
より具体的に表示制御部２０は、図３に例示するように、位置情報取得部１６により取得された現在位置情報により示される現在位置周辺の地図６と、上記同一シンボルマーク２６（後述するように、ユーザ自身を表示するためのシンボルマーク２５に相当するシンボルマークデータＭ２及び同行者を表示するためのシンボルマーク２５ａに相当するシンボルマークデータＭ２からなるシンボルマークデータに相当する同一シンボルマーク２６）と、を、表示部１２の表示画面上に表示させる。そして、ユーザの移動に応じて当該ユーザの現在位置情報が更新された場合、当該ユーザの移動に応じて上記表示画面上に表示された同一シンボルマーク２６の表示位置を移動させる。
【００４０】
また同一シンボルマーク２６としては、上述したように亀等の動物のキャラクタからなる同一シンボルマーク２６が用いられる。即ち図４に例示するように、ユーザ自身を示し且つ当該動物のキャラクタであるシンボルマーク２５に相当するシンボルマークデータＭ２と、その同行者を示し且つ当該動物のキャラクタであるシンボルマーク２５ａに相当するシンボルマークデータＭ２と、により一つの（一体不可分な）同一シンボルマーク２６に相当するシンボルマークデータが生成される。
【００４１】
なお、上記では同行者の人数に合わせた数の大きさの異なるシンボルマークデータＭ２（即ち、相互に大きさの異なる亀のシンボルマークデータＭ２）を用いて同一シンボルマーク２６に相当するシンボルマークデータを生成することについて説明したが、例えば、同行者とユーザとの関係を示す情報をユーザに入力させ、当該入力された関係を示す情報に基づき、同一シンボルマーク２６に相当するシンボルマークデータを生成する際に用いるシンボルマークデータＭ２を決定するようにしてもよい。
【００４２】
具体的に例えば、ユーザと同行者との関係が親子関係である場合、相互に異なる大きさのシンボルマークデータＭ２を用いて同一シンボルマーク２６に相当するシンボルマークデータを生成すると決定する。より具体的には、親子関係であれば、図４（ａ）に例示するように「親亀」を示す大きな亀のシンボルマークをユーザを示すシンボルマーク２５とし、当該シンボルマーク２５の上に「子亀」を示す小さな亀のシンボルマーク２５ａを重ね合わせて同一シンボルマーク２６とすべく、それらシンボルマーク２５及び２５ａに夫々相当するシンボルマークデータＭ２を決定して同一シンボルマーク２６に相当するシンボルマークデータが生成される。
【００４３】
また、同行者との関係が友達関係（即ち通常相互の関係が同等）である場合、大きさの等しいシンボルマークデータＭ２を用いて同一シンボルマーク２６に相当するシンボルマークデータを生成すると決定する。即ち図４（ｂ）に例示するように、夫々「亀」を示す大きさの等しいシンボルマーク２５及び２５ａを前後に連なるように並べた同一シンボルマーク２６とすべく、それらシンボルマーク２５及び２５ａに夫々相当するシンボルマークデータＭ２を決定して同一シンボルマーク２６に相当するシンボルマークデータが生成される。
【００４４】
更にまた、同行者との関係が恋人関係又は夫婦関係である場合は、相互に異なる大きさのシンボルマークデータＭ２を用いて同一シンボルマーク２６に相当するシンボルマークデータを生成すると決定し、それらシンボルマークＭ２に夫々相当するシンボルマーク２５及び２５ａを左右に並べた同一シンボルマーク２６に相当するシンボルマークデータが生成されるようにしてもよい。
【００４５】
また、更にその他の同一シンボルマーク２６の形態として、ユーザ以外に同行者が複数いる場合、例えば図４（ｃ）乃至図４（ｅ）に示すように、当該複数の同行者を示すシンボルマーク２５ａを含む同一シンボルマーク２６を表示することが好ましい。
【００４６】
より具体的には、例えば父親たるユーザにその子供たる兄弟（又は姉妹）の同行者が二人存在する旨が入力された場合に対応する同一シンボルマーク２６としては、図４（ｃ）に例示するように、同行者たる子供二人を示すシンボルマーク２５ａとしてシンボルマーク２５よりは小さい亀とそれに付随する更に小さい亀（図４（ｃ）中横向きの亀）の二つの亀を含むシンボルマーク２５ａに相当するシンボルマークデータＭ２と、ユーザに対応するシンボルマーク２５に相当するシンボルマークデータＭ２と、を連ならせて生成されたシンボルマークデータを同一シンボルマーク２６に相当するシンボルマークデータとしてシンボルマーク取得部１９に取得させるのが好ましい。
【００４７】
また、父親たるユーザにその子供たる同行者が例えば三人以上複数存在する旨が入力された場合に対応する同一シンボルマーク２６としては、図４（ｄ）に例示するように、同行者たる複数の子供を示すシンボルマーク２５ａとしてシンボルマーク２５よりは小さい横向きの亀を枠で囲んだシンボルマーク２５ａに相当するシンボルマークデータＭ２と、ユーザに対応するシンボルマーク２５に相当するシンボルマークデータＭ２と、を重ね合わせて生成されたシンボルマークデータを、同一シンボルマーク２６に相当するシンボルマークデータとしてシンボルマーク取得部１９に取得させるのが好ましい。この図４（ｄ）に例示する場合では、同一シンボルマーク２６としての表示部１２上の占有面積を最小化しつつ、同行者が複数存在していることを表示することができる。
【００４８】
なお図４（ｄ）に例示する場合において、同行者を表示するシンボルマーク２５ａに相当するシンボルマークデータＭ２として、図４（ｅ）に例示するように実際の同行者の数に相当する数（図４（ｅ）に例示する場合は二人）の小さな亀を枠内に含むシンボルマーク２５ａに相当するシンボルマークデータＭ２を用いてもよい。
【００４９】
そして、上記図４（ａ）乃至同（ｅ）のいずれの場合においても、生成された同一シンボルマーク２６に相当するシンボルマークデータは、上述したようにシステム制御部１５による表示制御においては、一つのデータとして扱われ、同一シンボルマーク２６に相当するシンボルマークデータを構成する各シンボルマークデータＭ２は、一体不可分に当該同一シンボルマーク２６に相当するシンボルマークデータを構成するものとされる。
【００５０】
一方、上記ステップＳ１０８の動作としてシステム制御部１５の表示制御部２０は、当該ステップＳ１０８としては同行者がいないことが判っているので（ステップＳ１０６；ＮＯ参照）、この場合ではユーザ自身のみの現在位置を示すシンボルマーク２５のみを表示部１２の表示画面上に表示させる。より具体的に表示制御部２０は、上記現在位置情報により示される現在位置周辺の地図６と、ユーザの移動状態に応じて移動する上記シンボルマーク２５と、を、表示部１２の表示画面上に表示する。
【００５１】
以上説明したように、実施形態に係る表示装置Ｓの動作によれば、ユーザと移動を共にする同行者がいる場合に、当該移動を共にすることを表す同一シンボルマーク２６に相当するシンボルマークデータを取得し、当該ユーザの現在位置に基づいてその同一シンボルマーク２６を表示部１２の表示画面上に表示し、更に当該ユーザの行動（移動）に応じてその同一シンボルマーク２６の表示位置を変えるようにしているので、ユーザ自身の行動と同じ行動をしている人が他にいることを表現でき、その利便性が向上される。
【実施例】
【００５２】
次に、本実施形態に係る表示装置Ｓのより具体的な実施例について説明する。なお、以下に説明する各実施例は、ユーザが携帯する携帯電話機を用いて当該ユーザが移動すべき案内経路を表示する案内経路表示システムに対して実施形態に係る表示装置Ｓを適用した場合の各実施例である。
【００５３】
（Ｉ）第１実施例
（Ａ）案内経路表示システムの構成
先ず、第１実施例に係る携帯電話機を含む案内経路表示システムの概要構成について、図５を用いて説明する。なお図５は、第１実施例に係る案内経路表示システムの概要構成の一例を示すブロック図である。また、図１を用いて説明した実施形態に係る表示装置Ｓと同様の機能を発揮する部材については、同一の部材番号を付して細部の説明を省略する。
【００５４】
図５に示すように、第１実施例に係る案内経路表示システムＳＳは、サーバ装置の一例としてのサーバＳＶと、表示装置の一例としての携帯電話機ＭＰと、を含んで構成されている。
【００５５】
この構成においてサーバＳＶと携帯電話機ＭＰとは、通信手段の一例としてのネットワークＮＷを介して相互にデータの送受信が可能とされている。具体的には、例えば、通信プロトコルにＴＣＰ／ＩＰ（Transmission Control Protocol/Internet Protocol）を用いて、相互にデータの送受信が可能とされている。なお、ネットワークＮＷは、例えば、インターネット、専用通信回線（例えば、ＣＡＴＶ（Community Antenna TeleVision）回線）、移動体通信網（無線基地局等を含む）及びゲートウェイ等を含んで構築されていてもよい。
【００５６】
一方、第１実施例に係るサーバＳＶは、各種プログラム及び上記地図データＭ１等を記憶するハードディスクドライブ等からなり且つ実施形態に係る記憶装置１１に対応する記憶部１１と、ネットワークＮＷに接続して携帯電話機ＭＰとの通信状態を制御するネットワークアダプタ等の通信部３５と、ＣＰＵ、ＲＡＭ（Random Access Memory）及びＲＯＭ等を備えるシステム制御部３６と、により構成されている。
【００５７】
この構成において、記憶部１１には、第１実施例に係るシンボルマークデータＭ２と、表示装置Ｓの表示部１２に地図等を表示するために用いられる上記地図データＭ１と、が記憶されている。
【００５８】
この地図データＭ１は、上記地図６等を表示部１２の表示画面上に描画するための描画データにより構成されている。この描画データは、例えば、地図中の地形を表示部１２の表示画面上に描画するための地形描画データ、当該地図中の道路を当該表示画面上に描画するための道路描画データ、例えばホテル、レストラン、空港、駅、ショッピングセンタ、コンビニエンスストア、公園、スポーツ施設、病院又はゴルフ場等のカテゴリ別に当該地図中の施設を当該表示画面に描画するための施設描画データ、及び当該地図中の道路に関する詳細情報（例えば、交差点情報や信号情報等）を含んで構成されている。
【００５９】
一方システム制御部３６は、ＣＰＵが、ＲＯＭ等に記憶されたプログラムを読み出して実行することにより経路情報生成部３７及びシンボルマーク生成部３４として機能する。この経路情報生成部３７は、携帯電話機ＭＰから、それを携帯するユーザの移動に係る出発地及び目的地を示す情報がネットワークＮＷ及び通信部３５を介して送信されて来ると、これらに基づき、案内経路表示に用いられる上記案内経路を示す経路情報を、記憶部１１内の地図データＭ１を用いて生成し、通信部３５を介して携帯電話機ＭＰに送信する。
【００６０】
一方シンボルマーク生成部３４は、携帯電話機ＭＰから、当該ユーザと移動を共にする同行者の有無及び当該同行者がある場合のその人数及びシンボルマーク２５又は同一シンボルマーク２６の生成に必要な情報がネットワークＮＷ及び通信部３５を介して送信されて来ると、これらに基づき、第１実施例に係るシンボルマーク２５又は同一シンボルマーク２６に相当するシンボルマークデータを、記憶部１１内のシンボルマークデータＭ２を用いて生成し（上記実施形態に係る図４参照）、通信部３５を介して携帯電話機ＭＰに送信する。
【００６１】
他方、第１実施例に係る携帯電話機ＭＰは、基地局との電波送受信により図示しない移動体通信網を介してネットワークＮＷに接続されたサーバ等との通信状態を制御する通信部３１と、上記案内経路やシンボルマーク２５及び同一シンボルマーク２６等を表示する表示部１２と、操作ボタン又はカーソルボタン等により構成されユーザの操作を受け付ける操作部１３と、ＧＰＳ測位部１４と、ＣＰＵ、ＲＡＭ及びＲＯＭ等を備えるシステム制御部３３と、を含んで構成される。
【００６２】
この構成においてシステム制御部３３は、ＣＰＵが、ＲＯＭなどに記憶されたプログラムを読み出し実行することにより、上記位置情報取得部１６、経路情報取得部１７、上記同行者有無情報取得部１８、上記シンボルマーク取得部１９及び上記表示制御部２０並びに地図表示制御手段の一例としての地図表示制御部３２として機能する。
【００６３】
第１実施例に係る上記表示制御部２０は、実施形態に係る表示制御部２０の動作に加えて、例えば、ユーザの指示に基づいて上記案内経路を表示部１２の表示画面上に表示させる。具体的には、当該案内経路を示す経路情報に基づいて案内経路を当該表示画面上に表示させる。そして、当該案内経路を表示させる場合には、当該案内経路と共に上記シンボルマーク２５又は同一シンボルマーク２６も表示させる。なお表示制御部２０の当該動作に係る経路情報及びシンボルマークデータＭ２は、夫々ネットワークＮＷを介してサーバＳＶから送信されて来るものである。そして表示制御部２０は、地図表示制御部３２と協働して、当該経路情報等を用いて生成された上記案内経路を、必要に応じて地図６（図３参照）上に重畳して当該表示画面上に表示する。
【００６４】
（Ｂ）案内経路表示システムの動作
次に、第１実施例に係る案内経路表示システムＳＳの動作について、図５乃至図８を用いて説明する。なお、図６は第１実施例に係る案内経路表示システムの動作を示すフローチャートであり、図７は第１実施例に係る操作画面を例示する図であり、図８は表示画面上に表示される第１実施例に係る案内経路の一例を示す図である。
【００６５】
第１実施例に係る案内経路表示システムＳＳの携帯電話機ＭＰでは、シンボルマーク２５又は同一シンボルマーク２６等の表示態様の設定動作（図６（ａ）参照）を例えば初期設定動作の一環として行った後に、案内経路の表示動作（図６（ｂ）参照）を行う。
【００６６】
初めに、第１実施例に係るシンボルマークの表示態様の設定動作について、図６（ａ）を用いて説明する。なお図６（ａ）はシンボルマークの表示モードの設定例を示すフローチャートである。
【００６７】
ここで、第１実施例では、第１実施例に係るシンボルマークの表示態様（表示モード）として、例えば、「ノーマル表示モード」、「重なり表示モード」及び「連なり表示モード」の三つの表示モードが定義されている。
【００６８】
このとき、ノーマル表示モードは、ユーザを示すシンボルマーク２５のみを地図上に表示する（従来と同様の）表示モードである。また重なり表示モードは、例えば同行者が一人存在する場合において、ユーザを示すシンボルマーク２５と同行者を示すシンボルマーク２５ａとを地図上に重ねるようにして含む（図４（ａ）、同（ｃ）又は同（ｄ）参照）同一シンボルマーク２６を表示する表示モードである。更に連なり表示モードは、例えば同行者が一人又は二人以上存在する場合において、ユーザを示すシンボルマーク２５と一人又は複数人の同行者を示すシンボルマーク２５ａとを地図上に隣接させるようにして含む（図４（ｂ）参照）同一シンボルマーク２６を表示する表示モードである。
【００６９】
図６（ａ）に示すように、第１実施例に係る案内経路表示動作において、先ずユーザは、操作部１３を操作して上記徒歩ナビアプリを起動させる（ステップＳ２０１）。より具体的には、例えば図７（ａ）に示すように、ユーザが選択可能な複数のメニュー項目２ａを含むトップ画面２を表示部１２の表示画面上に表示し、その中から「徒歩ナビ」をユーザが選択することにより、当該徒歩ナビアプリが起動される。
【００７０】
次に、携帯電話機ＭＰの同行者有無情報取得部１８は、その時点で携帯電話機ＭＰのユーザと移動を共にしている人数（即ち、同行者の存在の有無及びその人数）を確認する動作を行う（ステップＳ２０２）。より具体的にシステム制御部３３は、当該ユーザが操作部１３を操作して入力又は選択した、当該同行者の総数を確認する（ステップＳ２０２）。より具体的にシステム制御部３３は、例えば図７（ｂ）に例示するように、表示部１２の表示画面上に徒歩ナビアプリとしての設定画面３が表示されている場合において同行者の人数が入力されているか否かを確認する。そして同行者有無情報取得部１８は、図７（ｂ）に示す設定画面３において、「同行者」の欄に１以上の数字が入力されている場合には、当該入力された数の同行者が存在していると確認する。
【００７１】
即ち同行者有無情報取得部１８は、入力された人数が一人以上か否かを先ず判断し（ステップＳ２０３）、一人未満、即ち同行者の人数の入力がないか又は入力された数が「０」であるときは、ユーザのみが一人で移動する場合である（換言すれば、同一シンボルマーク２６により示されるべき移動を共にする同行者がいない）として（ステップＳ２０３；ＮＯ）、シンボルマークの表示モードを上記ノーマル表示モードに設定し（ステップＳ２０４）、第１実施例に係る表示モードの設定動作を終了する。
【００７２】
一方、ステップＳ２０３の判定において入力された人数が一人以上である場合（ステップＳ２０３；ＹＥＳ）、同行者有無情報取得部１８は次に、その入力された人数が一人（即ち同行者が一人）であるか否かを判断する（ステップＳ２０５）。これにより、当該人数が一人であるとき（ステップＳ２０６；ＹＥＳ）、同行者有無情報取得部１８はシンボルマークの表示モードを上記重なり表示モードに設定し（ステップＳ２０６）、第１実施例に係る表示モードの設定動作を終了する。
【００７３】
他方、ステップＳ２０５の判定において入力された人数が一人でないとき（ステップＳ２０６；ＮＯ）、同行者有無情報取得部１８は、同行者が二人以上で上記ステップＳ２０２において確認された人数だけ存在しているとして、シンボルマークの表示モードを上記連なり表示モードに設定し（ステップＳ２０７）、第１実施例に係る表示モードの設定動作を終了する。
【００７４】
次に、図６（ａ）を用いて説明したシンボルマークの表示モードの設定動作により設定された表示モードを用いて爾後に経路案内を実際に行う場合の当該案内経路の表示動作について、図６（ｂ）を用いて具体的に説明する。なお図６（ｂ）は当該表示動作を示すフローチャートである。
【００７５】
図６（ｂ）に示すように、第１実施例に係る案内経路の表示動作においては、先ずユーザは、操作部１３を操作して経路案内に係るアプリケーションを起動させる（ステップＳ３０１）。
【００７６】
次にシステム制御部３３は、案内経路及びシンボルマーク等を表示するために必要な情報（具体的には、ユーザの移動に係る出発地及び目的地を示す情報（図７（ｂ）参照）や図７（ｃ）に例示する選択項目４ｂを用いて選択された内容等）が入力済みか否かを判断し（ステップＳ３０２）、当該必要な情報が全て入力されていれば（ステップＳ３０２；ＹＥＳ）、後述するステップＳ３０４の動作に移行し、一方、未だ未入力の情報がある場合には（ステップＳ３０２；ＮＯ）、ユーザにより必要な情報が全て入力（ステップＳ３０３）されるまで待機する。
【００７７】
なお上記案内経路を表示するために必要な情報としては、少なくとも出発地と目的地とが入力される必要があるが、当該出発地については、例えばＧＰＳ測位部１４を用いて位置情報取得部１６により取得した現在位置に係る位置情報を用いてもよい。この場合、当該位置情報取得部１６により上記現在位置を示す現在位置情報が取得できていれば、例えば図７（ｂ）に例示するように、設定画面３が表示部１２の表示画面上に表示されている状態において、「出発地」の欄に当該現在位置が取得済みである旨が表示されることとなる。
【００７８】
次に、上記ステップＳ３０４の動作としてシステム制御部３３は、上記設定画面３において必要な情報が全て入力され、当該設定画面３内の経路探索ボタン３ａがユーザにより操作されると、サーバＳＶに当該必要な情報と共にシンボルマークの表示モードの設定動作（図６（ａ）参照）にて設定された表示モードを示す情報（同行者の有無及び同行者がいる場合のその人数を示す人数情報等を含む）をサーバＳＶに送信する（ステップＳ３０４）。
【００７９】
これによりサーバＳＶのシステム制御部３６内の経路情報生成部３７は次に、記憶部１１内の地図データＭ１において案内経路に相当する経路情報を探索する。
【００８０】
これに加えてシステム制御部３６のシンボルマーク生成部３４は、シンボルマーク２５を携帯電話機ＭＰの表示部１２において表示する場合（即ち、携帯電話機ＭＰにおいて設定された表示モードがノーマル表示モードである場合）はそれに相当するシンボルマークデータＭ２を記憶部１１において探索する。また同一シンボルマーク２６を携帯電話機ＭＰの表示部１２において表示する場合（即ち、携帯電話機ＭＰにおいて設定された表示モードが重なり表示モード又は連なり表示モードのいずれかである場合）はそれに相当するシンボルマークデータを生成するために必要なシンボルマークデータＭ２を記憶部１１において検索して当該同一シンボルマーク２６に相当するシンボルマークデータを生成する。その後システム制御部３６は、上記シンボルマーク２５に相当するシンボルマークデータＭ２又は同一シンボルマーク２６に相当するシンボルマークデータのいずれかと、上記経路情報の探索結果と、を、通信部３５を介して携帯電話機ＭＰに送信する。
【００８１】
これにより携帯電話機ＭＰの経路情報取得部１７は、サーバＳＶのシステム制御部３６において探索された経路情報（即ちユーザが移動する予定の案内経路を示す経路情報）をネットワークＮＷ及び通信部３１を介して取得する（ステップＳ３０５）。そして表示制御部２０は、当該取得した経路情報を、図７（ｃ）に例示する経路探索結果画面４として表示部１２の表示画面上に表示する。ここで、当該経路探索結果画面４には、一又は複数の経路探索結果４ａが表示される。このとき経路探索結果４ａとしては通常複数の探索結果が表示される場合が多いので、その場合にユーザは操作部１３を操作して一の経路探索結果としての経路情報を選択する。
【００８２】
なお、経路探索結果画面４には、図７（ｃ）に例示するように、地図を用いた案内経路の表示と、テキスト（文字）による案内経路の表示と、を選択するための経路表示選択ボタン４ｃが含まれている。これにより、ユーザが当該経路表示選択ボタン４ｃのどちらか一方を選択すると、システム制御部１５は当該選択された表示の態様（地図を用いる表示又はテキストによる表示のいずれか）を用いて上記シンボルマーク２５又は同一シンボルマーク２６のいずれか及び上記案内経路を表示部１２に表示する（後述するステップＳ３０６参照）。
【００８３】
これらと並行して携帯電話機ＭＰのシンボルマーク取得部１９は、上記シンボルマークの表示モードの設定動作により設定された表示モード（即ち、ノーマル表示モード、重なり表示モード又は連なり表示モードのいずれか）に対応してサーバＳＶから送信されて来たシンボルマーク２５に相当するシンボルマークデータＭ２又は同一シンボルマーク２６に相当するシンボルマークデータのいずれかを取得する（ステップＳ３０５）。
【００８４】
そして、第１実施例に係るシンボルマークの表示形態としては、上述したようにユーザのみで移動する場合の当該ユーザの現在位置（即ち同行者がいない場合）を示すシンボルマーク２５を表示する形態と、同行者がいる場合では上記した「移動を共にする」ことを表す同一シンボルマーク２６をユーザの現在位置に基づいて表示する形態と、が可能であるので、表示制御部２０及び地図表示制御部３２は、取得したシンボルマークデータを用いて、当該シンボルマーク２５又は同一シンボルマーク２６を、取得した経路情報に対応した案内経路及びそれを含む地図と共に表示部１２に表示して（ステップＳ３０６）、第１実施例に係る案内経路の表示動作を終了する。
【００８５】
その後表示制御部２０及び地図表示制御部３２は、ユーザの移動に応じて、シンボルマーク２５又は同一シンボルマーク２６の表示部１２における表示位置を移動させる。
【００８６】
より具体的に表示制御部２０は、地図を用いた案内経路の表示を選択するための経路表示選択ボタン４ｃ（図７（ｃ）参照）が選択され、更に上記表示モードが重なりモード又は連なりモードのいずれかとされている場合には、図８（ａ）に例示するように、出発地点（Ｓ）から目的地（Ｇ）周辺の地図６と、ユーザを案内すべき案内経路５と、上記同一シンボルマーク２６（ユーザ自身を表示するためのシンボルマーク２５に相当するシンボルマークデータＭ２及び同行者を表示するためのシンボルマーク２５ａに相当するシンボルマークデータＭ２からなるシンボルマークデータに相当する同一シンボルマーク２６）と、を、表示部１２の表示画面上に表示させる。そして、ユーザの移動に応じて当該ユーザの現在位置情報が更新された場合、当該ユーザの移動に応じて上記表示画面上に表示された同一シンボルマーク２６の表示位置を移動させる。このとき、案内経路５は他の道路等に対して区別して視認可能に表示される。
【００８７】
これに対して、テキストによる案内経路の表示を選択するための経路表示選択ボタン４ｃ（図７（ｃ）参照）が選択され、更に上記表示モードが重なりモード又は連なりモードのいずれかとされている場合には、図８（ｂ）に例示するように、地図６を用いずにテキストのみを用いた案内経路７と、上記同一シンボルマーク２６と、を、表示画面上に表示させる。そして、ユーザの移動に応じて当該ユーザの現在位置情報が更新された場合、当該ユーザの移動に応じて上記表示画面上に表示された同一シンボルマーク２６の表示位置を、当該更新された現在位置情報に相当するテキストの表示位置の近傍に移動させる。
【００８８】
一方、上記表示モードがノーマルモードとされている場合、ユーザには同行者がいないことが判っているので（図６（ａ）ステップＳ２０３；ＮＯ参照）、表示制御部２０は、ユーザが経路表示選択ボタン４ｃを用いて選択した表示の態様により、ユーザ自身のみの現在位置を示すシンボルマーク２５のみを表示部１２の表示画面上に表示させる。
【００８９】
より具体的に表示制御部２０は、経路表示選択ボタン４ｃを用いて地図を用いた案内経路の表示が選択されている場合には、出発地点（Ｓ）から目的地（Ｇ）周辺の地図６と、ユーザを案内すべき案内経路５と、ユーザの移動状態に応じて移動するシンボルマーク２５と、を、表示部１２の表示画面上に表示し（図８（ａ）参照）、その後第１実施例に案内経路の表示動作を終了する。また、経路表示選択ボタン４ｃを用いてテキストによる案内経路の表示が選択されている場合には、地図６に代えて、テキストのみを用いた案内経路７とユーザの移動状態に応じて移動するシンボルマーク２５と、を、表示部１２の表示画面上に表示し（図８（ｂ）参照）、その後第１実施例に案内経路の表示動作を終了する。
【００９０】
なお第１実施例の場合において、シンボルマーク２５又は同一シンボルマーク２６を構成する亀については、その態様を、あたかも亀が歩いている如きものにするのが好ましい（上記特許文献１参照）。更に、ユーザが停止した場合に例えば亀が両手足及び頭を甲羅の中に引き込むようなアニメーションを表示すれば、ユーザになお興味を抱かせることができる。
【００９１】
（II）第２実施例
次に、第２実施例に係る案内経路表示システムの動作について、図９を用いて説明する。なお図９は、第２実施例に係る案内経路表示システムの動作のうち、シンボルマークの表示モードの設定動作を示すフローチャートである。また、第２実施例に係る携帯電話機を含む案内経路表示システムのハードウエア的な構成は、基本的には第１実施例に係る案内経路表示システムＳＳのハードウエア構成に準じるものであるので、以下の説明では、共通する部材については同一の部材番号を用いて説明する。
【００９２】
上述した第１実施例では、案内経路表示システムＳＳに含まれる携帯電話機ＭＰは、ユーザが携帯しているもののみであった。これに対し、以下に説明する第２実施例では、当該ユーザが携帯する携帯電話機ＭＰに加えて、当該ユーザと移動を共にする同行者もまた、図示しない携帯電話機を携帯している。そして、ユーザが携帯する携帯電話機ＭＰと同行者の携帯電話機とは、通信部３１を介して相互にデータの送受信が可能とされており、このデータの送受信は、例えば所定の短距離無線通信方式を用いて実行される。
【００９３】
また、第２実施例に係る以下の説明においては、ユーザが携帯する携帯電話機を携帯電話機ＭＰと称し、他の者（同行者）が携帯する他の携帯電話機を、同行者が二人以上いる場合を含めて、纏めて「同行者の携帯電話機」と称する。このとき、当該同行者の携帯電話機は、ユーザと所定の関係（例えば、上述した家族関係又は友達関係等、移動に際して実施形態に係る同行者となる関係）にある者に携帯される携帯電話機であって、例えば同行者の携帯電話機夫々を他の携帯電話機から相互に識別する端末ＩＤ情報等を用いて携帯電話機ＭＰにおいて登録可能とされている。
【００９４】
更に、第２実施例では、当該第２実施例に係るシンボルマークの表示モードとして、第１実施例に係る表示モードと同様の、ノーマル表示モード、重なり表示モード及び連なり表示モードの三つが定義されている。そして、第２実施例に係る案内経路表示動作においては、ユーザと移動を共にする同行者の携帯電話機を予めユーザの携帯電話機ＭＰに登録しておき、その登録された同行者の携帯電話機との上記短距離通信方式による接続台数によって、上記三つの表示モードの中から一つの表示モードが選択されて実行される。なお、携帯電話機ＭＰに同行者の携帯電話機が一台も登録されていない場合、ユーザが操作部１３を操作してユーザと移動を共にする同行者の人数を入力すること（図３（ｂ）及び（ｃ）参照）で、その人数に応じた表示モードが設定される。
【００９５】
図９に示すように、第２実施例に係る表示モードの設定動作においては、先ずユーザは、第１実施例の場合と同様に携帯電話機ＭＰの操作部１３を操作して上記徒歩ナビアプリを起動させる（ステップＳ４０１）。
【００９６】
次に、携帯電話機ＭＰの同行者有無情報取得部１８は、上記同行者の携帯電話機の端末ＩＤ情報が登録済みであるか否かを判断する（ステップＳ４０２）。これにより、いずれかの端末ＩＤ情報が登録済みである場合は（ステップＳ４０２；ＹＥＳ）後述するステップＳ４０４の動作に移行し、一方、いずれの端末ＩＤ情報も登録されていないときは（ステップＳ４０２；ＮＯ）、図６（ａ）ステップＳ２０２乃至Ｓ２０７を用いて説明した第１実施例に係る表示モード設定動作と同様の表示モード設定動作を実行して同行者の存在の有無及びその人数の確認動作と同様の確認動作並びに表示モードの設定動作を行い（ステップＳ４０３）、第２実施例に係る表示モードの設定動作を終了する。
【００９７】
上記ステップＳ４０２の確認においていずれかの端末ＩＤ情報が登録済みである場合、同行者有無情報取得部１８は次に、当該登録されている端末ＩＤ情報に係る同行者の携帯電話機と間の短距離通信方式による通信を試み、当該同行者の携帯電話機と接続可能であるか否かを判断する（ステップＳ４０４）。これにより、同行者の携帯電話機のいずれとも接続が不可能であった場合（ステップＳ４０４；ＮＯ）、同行者有無情報取得部１８は当該接続不能であった端末ＩＤ情報に係る同行者の携帯電話機との間の接続を再度を試み、その後上記ステップＳ４０２に移行する（ステップＳ４０５、Ｓ４０５；ＮＯ）。一方、ステップＳ４０５の動作において二回試みても接続可能とならない場合（ステップＳ４０５；ＹＥＳ）、同行者有無情報取得部１８は周囲には同行者の携帯電話機は存在していない（換言すれば、同一シンボルマーク２６により示されるべき同行者が存在していない）ものと見なし、携帯電話機ＭＰにおける表示モードを上記ノーマル表示モードに設定して（ステップＳ４０６）、第２実施例に係る表示モードの設定動作を終了する。
【００９８】
一方、ステップＳ４０４の確認において、同行者の携帯電話機のいずれかとの接続が可能であった場合（ステップＳ４０４；ＹＥＳ）、同行者有無情報取得部１８は次に、当該接続可能であった同行者の携帯電話機の数を確認し（ステップＳ４０７）、接続可能数が一台であるか否かを判断する（ステップＳ４０８）。これにより同行者有無情報取得部１８は、一台の同行者の携帯電話機との間の接続が可能であった場合（ステップＳ４０８；ＹＥＳ）、同行者が一人のみであると見なし、携帯電話機ＭＰにおける表示モードを上記重なり表示モード（図４（ａ）、同（ｃ）又は同（ｄ）参照）に設定して（ステップＳ４０９）、第２実施例に係る表示モードの設定動作を終了する。
【００９９】
他方、ステップＳ４０８の確認において、二台以上の同行者の携帯電話機との間の接続が可能であった場合（ステップＳ４０８；ＮＯ）、同行者有無情報取得部１８は次に、携帯電話機ＭＰにおける表示モードを上記連なり表示モード（図４（ｂ）参照）に設定し（ステップＳ４１０）、第２実施例に係る表示モードの設定動作を終了する。
【０１００】
なお、図９を用いて説明した設定動作において、上記ステップＳ４０４にて当該設定動作中に新たな同行者の携帯電話機と接続された場合には、その数に応じた表示モードに、その後適宜変更するように構成するのが望ましい。
【０１０１】
以上図９を用いて説明した表示モードの設定動作以降は、第１実施例と同様の案内経路の表示動作が実行されることとなる（図６（ｂ）参照）。
【０１０２】
以上説明した第２実施例に係る案内経路表示システムの動作によれば、同行者の携帯電話機との間の接続が切断されない限りはその同行者については同一シンボルマーク２６が表示されることとなる。換言すれば、当該接続が切断されると、同一シンボルマーク２６は通常のシンボルマーク２５に変わることとなる。
【０１０３】
（III）第３実施例
最後に、第３実施例に係る案内経路表示システムの動作について、図１０を用いて説明する。なお図１０は、第３実施例に係る案内経路表示システムの動作のうち、シンボルマークの表示モードの設定動作を示すフローチャートである。また、第３実施例に係る携帯電話機を含む案内経路表示システムのハードウエア的な構成は、基本的には第２実施例に係る案内経路表示システムのハードウエア構成に準じるものであるので、以下の説明では、共通する部材については同一の部材番号を用いて説明する。
【０１０４】
上述した第２実施例では、接続可能な同行者の携帯電話機の数に応じてユーザが携帯する携帯電話機ＭＰにおける表示モードを切り換える構成について説明したが、以下に説明する第３実施例では、他の者の携帯電話機とユーザの携帯電話機ＭＰとの間の距離を勘案し、当該距離が予め設定されている閾値以下であった場合に同行者が存在していると判断して同一シンボルマーク２６を表示部１２に表示する。従って、当該距離が当該閾値以下である時には常に同行者が存在していると判断されるのであり、当該閾値以下の範囲内で当該距離が変化したとしても、同一シンボルマーク２６自体の表示態様は変化しない。そして当該距離が閾値より遠くなった場合には、同一シンボルマーク２６自体が、ユーザに同行者が存在しないことを意味するシンボルマーク２５（ユーザを示すシンボルマーク２５）に取って代わられることとなる。
【０１０５】
なお、第３実施例に係るユーザの携帯電話機ＭＰは、他の者の携帯電話機との間で通信部３１を介して相互にデータの送受信が可能とされている。更に、当該他の者の携帯電話機は、ユーザと所定の関係にある者（例えば、友人、会社関係の者又は家族等）に携帯される携帯電話機である。そして当該他の者の携帯電話機の各々は、当該所定の関係にある者以外の者（第三者）の携帯電話機から相互に識別する端末ＩＤ情報等を用いて、携帯電話機ＭＰにおいて登録可能とされている。
【０１０６】
更にまた、第３実施例では、当該第３実施例に係る表示モードとして、第１又は第２実施例に係る表示モードと同様の、ノーマル表示モード、重なり表示モード及び連なり表示モードの三つが定義されている。
【０１０７】
図１０に示すように、第３実施例に係る表示モードの設定動作においては、先ずユーザは、第１実施例の場合と同様に携帯電話機ＭＰの操作部１３を操作して上記徒歩ナビアプリを起動させる（ステップＳ５０１）。
【０１０８】
次にシステム制御部３３は、ＧＰＳ測位部１４を用いて自身の現在位置を測位済みであるか否かを判断し（ステップＳ５０２）、測位済みである場合は（ステップＳ５０２；ＹＥＳ）後述するステップＳ５０４の動作に移行する。これに対して現在位置が未測位である場合（ステップＳ５０２；ＮＯ）、システム制御部３３はＧＰＳ測位部１４を用いて上記現在位置を測位し、それに対応する現在位置情報を位置情報取得部１６により取得して（ステップＳ５０３）上記ステップＳ５０２の動作に移行する。
【０１０９】
次に、同行者有無情報取得部１８は、登録済みの端末ＩＤ情報に係る他の者の携帯電話機から通信部３１を介して当該他の者の現在位置情報を取得したか否かを判断する（ステップＳ５０４）。これにより、他の者の携帯電話機のいずれからも現在位置情報を取得しなかった場合（例えば、上記徒歩ナビアプリを起動（上記ステップＳ５０１参照）してから所定時間経過しても現在位置情報を取得しなかった場合。ステップＳ５０４；ＮＯ）、同行者有無情報取得部１８はユーザに同行者が存在していないと判断し（ステップＳ５０５）、後述するステップＳ５０７の動作に移行する。
【０１１０】
一方、ステップＳ５０４の確認において、他の者の携帯電話機の全て又はいずれかから現在位置情報を取得した場合（ステップＳ５０４；ＹＥＳ）、同行者有無情報取得部１８は次に、当該取得した現在位置情報によって示される現在位置とユーザの携帯電話機ＭＰの現在位置との距離が、当該他の者とユーザとが近い位置に存在している（換言すれば、他の者が実施形態に係るユーザの「同行者」に該当している）と見なせる距離として予め設定されている閾値以下であるか否かを確認する（ステップＳ５０６）。
【０１１１】
ここで、取得した他の者の携帯電話機の現在位置を示す現在位置情報は、例えば、当該他の者の携帯電話機夫々に備えられているＧＰＳ測位部１４により夫々独自に測位された他の者の携帯電話機夫々の現在位置を示す現在位置情報である。携帯電話機ＭＰは、上記ステップＳ５０２又はＳ５０３の動作の際に、例えば、通信部３１を介して上記登録済み端末ＩＤ情報を用いて他の者の携帯電話機に対して現在位置情報の取得要求を発信して、当該現在位置情報を取得するように構成されるのが好ましい。
【０１１２】
そして、当該距離が閾値以下である他の者の携帯電話機が一台も存在しないとき（ステップＳ５０６；ＮＯ）、同行者有無情報取得部１８は、周囲には同行者が存在していない（換言すれば、同一シンボルマーク２６により示されるべき同行者がいない）ものと見なし、携帯電話機ＭＰにおける表示モードを上記ノーマル表示モードに設定して（ステップＳ５０７）、第３実施例に係る表示モードの設定動作を終了する。
【０１１３】
なお、上記ステップＳ５０５の動作において同行者が存在していないと判断した場合も、同様に携帯電話機ＭＰにおける表示モードを上記ノーマル表示モードに設定して（ステップＳ５０７）第３実施例に係る表示モードの設定動作を終了する。
【０１１４】
一方、ステップＳ５０６の確認において、当該距離が閾値以下である他の者の携帯電話機が存在するとき（ステップＳ５０６；ＹＥＳ）、同行者有無情報取得部１８は次に、その閾値以下である他の者の携帯電話機の数を確認する（ステップＳ５０８）。これにより同行者有無情報取得部１８は、当該数が一台であった場合（ステップＳ５０８；ＹＥＳ）、実施形態に係る「同行者」が一人のみであると見なし、携帯電話機ＭＰにおける表示モードを上記重なり表示モード（図４（ａ）、同（ｃ）又は同（ｄ）参照）に設定して（ステップＳ５０９）、第３実施例に係る表示モードの設定動作を終了する。
【０１１５】
他方、ステップＳ５０８の確認において、他の者の携帯電話機の数が二台以上であった場合、同行者有無情報取得部１８は、携帯電話機ＭＰにおける表示モードを上記連なり表示モード（図４（ｂ）参照）に設定し（ステップＳ５１０）、第３実施例に係る表示モードの設定動作を終了する。
【０１１６】
以上図１０を用いて説明した表示モードの設定動作以降は、第１実施例と同様の案内経路の表示動作が実行されることとなる（図６（ｂ）参照）。この場合、上記ステップＳ５０６において距離が閾値以下である他の者の携帯電話機については、携帯電話機ＭＰのユーザを示すシンボルマーク２５を含む同一シンボルマーク２６としてその存在が表示され、且つユーザの移動と共に移動することとなる。即ち、この他の者はユーザと移動を共にする同行者であるとし、以降当該他の者の携帯電話機から取得される現在位置情報によって示される現在位置とユーザの携帯電話機ＭＰで測位した現在位置との距離が上記閾値以下である限り、当該他の者の携帯電話機の現在位置情報の更新の有無に拘らず、ユーザの携帯電話機ＭＰの現在位置情報の更新に伴って同一シンボルマーク２６の表示位置を一体不可分で移動させる。
【０１１７】
因みに、上記閾値以下である他の者の携帯電話機の現在位置との距離が、その後のユーザの現在位置情報の更新、又は取得される他の携帯電話機の現在位置情報の更新に伴い上記閾値を超える距離となった場合には、同一シンボルマーク２６の表示からシンボルマーク２５の表示にその形態を変化させる。
【０１１８】
なお、上述した第２実施例及び第３実施例において、同行者の携帯電話機の台数（第２実施例の場合）又は他の者の携帯電話機の位置（第３実施例の場合）に基づいて同一シンボルマーク２６をユーザの携帯電話機ＭＰの表示部１２上に表示する場合において、当該同行者を示すシンボルマーク２５ａに相当するシンボルマークデータを、サーバＳＶに記憶されているシンボルマークデータＭ２からではなく、対応する同行者（または他の者）の携帯電話機夫々から取得し、これを用いて携帯電話機ＭＰ内において同一シンボルマーク２６に相当するシンボルマークデータを生成して表示部１２に表示するように構成することもできる。この場合には、サーバＳＶ内に既存のシンボルマークデータＭ２ではなく、同行者（または他の者）の携帯電話機内に記憶されている様々なシンボルマークデータを用いることができることから、より変化に富んだ態様の同一シンボルマーク２６を表示部１２上に表示させることができる。
【０１１９】
以上夫々説明したように、実施形態に係る表示装置Ｓ及び各実施例に係る案内経路表示システムＳＳの動作によれば、ユーザに同行者が存在している場合に同一シンボルマーク２６を表示部１２に表示すると共に、当該ユーザの移動に伴って当該同一シンボルマーク２６の表示位置も移動させるので、そのユーザに同行者が存在して共に移動していることを容易に認識することができる。
【０１２０】
従って、当該ユーザに同行者がいるときの利便性を向上させることができる。
【０１２１】
また、取得した人数に対応した表示態様の同行者マーク２５ａ（図４参照）に相当するシンボルマークデータＭ２を含む同一シンボルマーク２６に相当するシンボルマークをユーザの現在位置に対応させて生成／表示するので、同行者が多人数である場合に何名で移動するのかを、何人でも容易に把握することができる。
【０１２２】
更に、例えば同行者が一人の場合にユーザマーク２５と同行者マーク２５ａとを重畳した態様のシンボルマークデータ（図４（ａ）又は同（ｄ）参照）を同一シンボルマーク２６に相当するシンボルマークデータとして取得する場合には、例えば親子関係にあるユーザと同行者に係る同一シンボルマーク２６を、その関係に適合した態様で表示することができる。
【０１２３】
更にまた、例えば同行者が一人の場合にユーザマーク２５と同行者マーク２５ａとを相互に隣接させた態様のシンボルマークデータ（図４（ｂ）又は同（ｃ）参照）を同一シンボルマーク２６に相当するシンボルマークデータとして取得する場合には、例えば友達関係にあるユーザと同行者に係る同一シンボルマーク２６を、その関係に適合した態様で表示することができる。
【０１２４】
また、ユーザを案内すべき案内経路５と、当該案内経路５を含む地図６と、を表示部１２に同一シンボルマーク２６と合わせて表示する場合には、ユーザが移動する案内経路を同行者の有無等と共に容易に認識することができる。
【０１２５】
更に、ユーザマーク２５及び同行者マーク２５ａが夫々動物のキャラクタにより構成されており、ユーザの移動状態に応じてユーザマーク２５及び同行者マーク２５ａの表示形態を変化させるので、ユーザに対して視覚的効果を高め、常に興味を抱かせながらスタート地点（ユーザの現在位置）から目的地までの案内を行うことが可能となる。
【０１２６】
更にまた、各実施例に係る案内経路表示システムの動作によれば、経路情報をサーバＳＶから取得するので、小型軽量化及び低消費電力化が望まれる携帯電話機ＭＰにおける処理負担を軽減しつつ、同一シンボルマーク２６と案内経路５との表示を表示部１２において行うことができる。
【０１２７】
更に、第２実施例及び第３実施例に係る案内経路表示システムの動作によれば、同行者の携帯電話機の接続数や自己の携帯電話機までの距離が閾値以下にある他の者の携帯電話機の数（換言すれば同行者の人数）によってシンボルマーク２５又は同一シンボルマーク２６の表示態様が自動的に設定されるので、ユーザは特に当該表示態様を設定する必要がなくなり、その手間を省くことができる。
【０１２８】
なお、上述した各実施例においては、同行者が一人の場合に重なりモードと設定し、同行者が二人以上いる場合には連なりモードと設定する構成としたが、これ以外に、同行者が二人以上移動を共にする場合において、当該各同行者を夫々示すシンボルマーク２５ａ（相互に異なるシンボルマーク２５ａであることが好ましい）を相互に重ね、且つこれをユーザを示すシンボルマーク２５ａに更に重ねた態様を有する同一シンボルマーク２６とする重なりモードを設定してもよい。一方、同行者が一人のみである場合でも、ユーザを示すシンボルマーク２５と一人の同行者を示すシンボルマーク２５ａを隣接させた態様（例えば図４（ｂ）参照）を有する同一シンボルマーク２６とする連なりモードを設定してもよい。つまり、ユーザとの関係を示す情報を入力することにより、同行者が一人であった場合でも、当該関係を考慮して重なりモード、または連なりモードのいずれかを自動で設定するようにしてもよい。
【０１２９】
更に、上述した各実施例においては、サーバＳＶにおいて生成した同一シンボルマーク２６に相当するシンボルマークデータを携帯電話機ＭＰに送信する構成としたが、これ以外に、当該同一シンボルマーク２６に相当するシンボルマークデータを構成することとなる各シンボルマークデータＭ２（即ち、ユーザを示すシンボルマーク２５に相当するシンボルマークデータＭ２及び同行者を示すシンボルマーク２５ａに相当するシンボルマークデータＭ２）自体をサーバＳＶから携帯電話機ＭＰに送信し、これらを用いて携帯電話機ＭＰ内において同一シンボルマーク２６に相当するシンボルマークデータを生成するように構成することもできる。
【０１３０】
なお、上記実施形態及び各実施例において、他の種類又は他の動物のシンボルマークの表示態様をユーザ側で選択可能にすれば、ユーザ側で表示画面を見易いように設定することが可能である。
【０１３１】
また、図８（ｂ）を用いて説明した態様で案内経路７を表示する場合、上記地図データＭ１の授受は基本的に不要となるので、携帯電話機ＭＰとサーバＳＶとの間の通信料が大幅に減ることとなり、通信料の削減や通信時間の短縮化に資することができる。
【０１３２】
また、上記実施形態及び実施例では、現在位置を地図６上に表示する表示装置Ｓ（携帯電話機ＭＰ）と適用して本願を説明したが、これ以外に、歩行者用通信ナビゲーション装置やカーナビゲーション装置に本願を適用することも可能である。更には、例えばＰＤＡ（Personal Digital Assistant）等の他の携帯端末装置における動作を適用しても構わないし、或いはこれら携帯型の端末装置に限られず一般的なパーソナルコンピュータに本願を適用することも可能である。
【０１３３】
更に、上記各実施例では、サーバＳＶが地図データＭ１を記憶し、携帯電話機ＭＰの要求によって当該地図データＭ１を携帯電話機Ｐに送信する構成としたが、これ以外に、携帯電話機ＭＰ自体に地図データＭ１を全て記憶させて動作を行っても良い。この場合には、システムの構成上、サーバＳＶは必須ではない。
【０１３４】
更にまた、図２又は図６或いは図９及び図１０に夫々示すフローチャートに対応するプログラムを、フレキシブルディスク又はハードディスク等の記録媒体に記録しておき、或いはインターネット等のネットワークを介して取得して記録しておき、これらを汎用のマイクロコンピュータ等で読み出して実行することで、当該マイクロコンピュータを実施形態に係るシステム制御部１５又は各実施例に係るシステム制御部３３として活用することが可能である。
【符号の説明】
【０１３５】
１１    記憶装置、記憶部
１２    表示部
１５、３３    システム制御部
１６    位置情報取得部
１７    経路情報取得部
１８    同行者有無情報取得部
１９    シンボルマーク取得部
２０    表示制御部
２５、２５ａ    シンボルマーク
２６    同一シンボルマーク
３４    シンボルマーク生成部
Ｓ    表示装置
ＳＳ    案内経路表示システム
ＳＶ    サーバ
ＭＰ    携帯電話機
ＮＷ    ネットワーク
Ｍ１    地図データ
Ｍ２    シンボルマークデータ
【図１】
2010276384.tif 000003
【図２】
2010276384.tif 000004
【図３】
2010276384.tif 000005
【図４】
2010276384.tif 000006
【図５】
2010276384.tif 000007
【図６】
2010276384.tif 000008
【図７】
2010276384.tif 000009
【図８】
2010276384.tif 000010
【図９】
2010276384.tif 000011
【図１０】
2010276384.tif 000012